(57)【要約】【課題】人工的に圧縮空気や水を入れる手法を用いることなく、電源をオン状態にした後に水を吸上げ可能な全自動濾過器を提供する。【解決手段】全自動吸上げ式水槽外部濾過器は、フィルターバレル１とカバー２を備える。フィルターバレル１の内部に濾過層および水ポンプ３が設置される。カバー２に進口パイプ８と出口パイプ９が設置される。進口パイプ８はフィルターバレル１の底部にまで延長される。出口パイプ９は水ポンプ３と接続され、バルブ１１が設置される。フィルターバレル１はカバー２と密封接続され、フィルターバレル１の内部の空気を抽出可能な真空ポンプ１０が設置される。【選択図】図１
2011120570.tif 000002
【特許請求の範囲】
【請求項１】
全自動吸上げ式の水槽外部濾過器であって、
フィルターバレルと、
カバーとを備え、
前記フィルターバレルの内部に濾過層と水ポンプとが設置され、前記カバーには進口パイプと出口パイプが設置され、前記進口パイプは前記フィルターバレルの底部まで延長され、前記出口パイプは前記水ポンプの出口と接続され、前記水ポンプにバルブが設置され、
前記フィルターバレルは前記カバーと密封接続され、前記フィルターバレルの内部に空気を抽出可能な真空ポンプが設置される、全自動吸上げ式水槽外部濾過器。
【請求項２】
前記真空ポンプの出口は前記出口パイプと接続され、前記バルブは、前記真空ポンプの出口と前記出口パイプのコネクタと、前記出口パイプと前記水ポンプのコネクタとの間に設置される、請求項１に記載の全自動吸上げ式水槽外部濾過器。
【請求項３】
前記フィルターバレルの内部に殺菌灯が設置され、前記殺菌灯は、前記進口パイプを通して前記フィルターバレルに入る水を殺菌可能である、請求項１に記載の全自動吸上げ式水槽外部濾過器。
【請求項４】
前記濾過層は、下部から上部に向かって順次配置された、セラミック環状濾過層、粗濾過層、活性炭濾過層および微細濾過層を備える、請求項１に記載の全自動吸上げ式水槽外部濾過器。
【発明の詳細な説明】
【技術分野】
【０００１】
本発明は、濾過器に関し、特に、水生動植物の養殖用の水の濾過処理に適用可能であり、電源をオン状態にすることで全自動で水を吸い上げ可能な水槽外部濾過器に関する。
【背景技術】
【０００２】
近年、仕事上のストレス解消や装飾のため、家や職場で水槽などの容器を利用して水生動植物を養殖する人が多くなっている。養殖用水を水生動植物の生長に適した状態で維持するため、養殖過程で養殖用水を濾過することが必要であり、その需要に応じて養殖用水を濾過する濾過器が現存している。従来の濾過器では、動作開始時に人工的に圧縮空気を抽出して真空引きするか、あるいは水を入れる方法で水槽中の水を濾過器へ送る。その後、濾過された水は、濾過器における水ポンプを用いて水槽に戻される。そのため、従来の濾過器は、操作上不便であるという欠点を有している。本願明細書では、人工的に圧縮空気あるいは水を入れる手法を必要とすることなく、電源をオン状態にするだけで水を吸い上げることができる全自動濾過器が提案される。
【先行技術文献】
【特許文献】
【０００３】
【特許文献１】特開２００５−１７６８３３号公報
【発明の概要】
【発明が解決しようとする課題】
【０００４】
従来技術の問題を解決するために、人工的に圧縮空気あるいは水を入れる手法を用いることなく、電源をオン状態にすると水が吸い上げられる全自動濾過器を提供することを目的とする。
【課題を解決するための手段】
【０００５】
本発明に係る全自動吸上げ式水槽外部濾過器は、フィルターバレルとカバーとを含み、フィルターバレルの内部に濾過層と水ポンプとが設置され、カバーには進口パイプと出口パイプが設置される。進口パイプはフィルターバレルの底部まで延長され、出口パイプは水ポンプの出口と接続され、水ポンプにバルブが設置され、フィルターバレルはカバーと密封接続され、フィルターバレルの内部の空気を抽出可能な真空ポンプが設置される。
【０００６】
本発明の好ましい実施形態では、真空ポンプの出口は出口パイプと接続され、バルブは、真空ポンプの出口と出口パイプとのコネクタと、出口パイプと水ポンプとのコネクタとの間に設置される。
【０００７】
本発明のさらに好ましい実施形態では、フィルターバレルの内部に殺菌灯が設置され、殺菌灯は、進口パイプを通してフィルターバレルに入る水に対して殺菌可能である。
【０００８】
上記濾過層は、下部から上部に向かって順次配置された、セラミック環状濾過層、活性炭濾過層、粗濾過層および微細濾過層を備え、また、他のよく使われる濾過構造を使用してもよい。
【発明の効果】
【０００９】
本発明では、作動時に真空ポンプを用いてフィルターバレル内部の空気が抽出され、そのフィルターバレル内部と外部に一定の空気圧差が生成されるとともに、水槽中の水が吸い上げられるようにその空気圧差が維持される。フィルターバレル内部の水位が水ポンプが作動できる高さに至ると、水ポンプが作動し、真空ポンプは停止する。この時、水ポンプを用いて水槽の水を吸い上げることによって、フィルターバレル内部と外部の空気圧が水槽の水を吸い上げ可能な状態に保たれる。水が進口パイプ、水ポンプおよび出口パイプを通して循環的に流され、濾過器が正常作動状態になる。この構造を使用することにより、人工的な圧力や水入れをしなくても全自動水吸い上げ循環フィルタリング過程が実現できる。本発明の全自動吸上げ式水槽外部濾過器は、操作が簡単で、構造的にも新規なものである。
【図面の簡単な説明】
【００１０】
【図１】本発明の全自動吸上げ式水槽外部濾過器がスタートする時の構造を示す図である。
【図２】本発明の全自動吸上げ式水槽外部濾過器の作動過程を示す図である。
【発明を実施するための形態】
【００１１】
以下に、本発明に基づく全自動吸上げ式水槽外部濾過器の実施の形態について、図１から図２を用いて説明する。
【００１２】
図１と図２を参照すると、本実施の形態に係る全自動吸上げ式水槽外部濾過器は、フィルターバレル１とカバー２を備える。フィルターバレル１の内部に濾過層および水ポンプ３が設置される。図１と図２に示すように、濾過層は、下部から上部に向かって順次配置された、セラミック環状濾過層４、粗濾過層５、活性炭濾過層６、微細濾過層７を備える。なお、濾過層としては、他のよく使用される濾過構造を採用してもよい。カバー２に進口パイプ８と出口パイプ９が設置される。進口パイプ８はフィルターバレル１の底部にまで延長される。出口パイプ９は、水ポンプ３の出口と接続される。フィルターバレル１とカバー２は密封接続される。フィルターバレル１の内部の空気を抽出可能な真空ポンプ１０が設置され、真空ポンプ１０の出口が出口パイプ９と接続される。出口パイプ９にバルブ１１が設置され、バルブ１１は、真空ポンプ１０の出口と出口パイプ９のコネクタと、出口パイプ９と水ポンプ３のコネクタとの間に設置される。
【００１３】
本実施の形態に係る濾過器の作業過程について以下に説明する。本実施の形態の濾過器の動作開始時には、進口パイプ８の一端が水槽１２の養殖用水中に挿入され、真空ポンプを用いてフィルターバレル内部の空気が抽出され、そのフィルターバレル内部と外部に一定の空気圧差を生成するとともに、水槽中の水が吸い上げられるようにその空気圧差が維持される。それと同時に、バルブが閉鎖状態になり、空気の圧力差を利用して水槽中の水をフィルターバレルに吸い上げる。フィルターバレルにさらに水位コントローラも設けられ、フィルターバレル内部の水ポンプが作動できる高さに至ると、水位コントローラが信号を発信し、水ポンプを作動させる。これにより水ポンプが作動し、バルブが開放状態になり、真空ポンプが停止する。そして、水ポンプを用いて水槽の水を吸い上げることによって、フィルターバレル内部と外部の空気圧が水槽の水を吸い上げ可能な状態に保たれる。水が進口パイプ、水ポンプおよび出口パイプを通して循環的に流され、濾過器は正常作動状態になる。
【００１４】
フィルターバレル１の内部に殺菌灯１３が設置され、殺菌灯１３には、紫外線ＵＣＶランプを使用してもよい。殺菌灯１３は、進口パイプを通じてフィルターバレルに入る水に含まれる細菌を死滅させることができ、藻の生長を抑える。
【００１５】
本実施の形態の濾過器は、人工的に圧力や水入れをしなくても、フィルターバレル内部と外部とに空気圧差を生じさせ、自動的に水槽中の水をフィルターバレルに吸い上げ、水ポンプを用いて、濾過された水を水槽に吸い戻すことにより、全自動水吸上げ式循環フィルタリング過程を実現できる全自動吸上げ式水槽外部濾過器である。また、本実施の形態の濾過器は、操作が簡単で、構造的にも新規なものである。
【００１６】
なお、本実施の形態においては、本発明の適用例として上記説明を行なったが、本願発明の適用範囲は上記内容に限定されるものではなく、例えば、真空ポンプの出口を直接大気環境と接続する等、本発明の請求の範囲と均等の意味および範囲内でのすべての変更が含まれることが意図される。
【符号の説明】
【００１７】
１  フィルターバレル、２  カバー、３  水ポンプ、４  セラミック環状濾過層、５  粗濾過層、６  活性炭濾過層、７  微細濾過層、８  進口パイプ、９  出口パイプ、１０  真空ポンプ、１１  バルブ、１２  水槽、１３  殺菌灯。
【図１】
2011120570.tif 000003
【図２】
2011120570.tif 000004